(57)【特許請求の範囲】
【請求項１】
コイルを内蔵したヨークと、このヨークを包むように構成されたロータと、このロータに固定されたシャフトと、上記ロータと軸方向に空隙を介して設置されると共に軸方向に移動可能なアマチュアと、このアマチュアをスプリングを介して支承すると共に上記シャフト上に回転可能に設置されたハブとを有する電磁連結装置において、上記アマチュアの内周部にスリットを設け、また、上記ハブには突起状の筒部を設ける一方、上記スプリングの外周部には上記アマチュアのスリットに嵌合されるアームを、また、スプリングの内周部にはハブ圧入用のスリットを設け、さらに、スプリングには上記ハブの突起状の筒部が挿入される穴を設けたことを特徴とする電磁連結装置。
【発明の詳細な説明】
【０００１】
【発明の属する技術分野】
この発明は、ＯＡ機器、特に複写機などに使用されるマイクロ電磁連結装置に関するものである。
【０００２】
【従来の技術】
図７は従来から使用されている電磁連結装置を示す一部断面側面図、図８は同じくアマチュア部分を示す正面図、図９は同じくスプリング部分を示す正面図である。
【０００３】
図において、３１は断面コの字状のヨーク、３２はヨーク３１に内蔵されたコイル、３３はこのコイル３２に接続されたリード線、３４はヨーク３１を包むように構成されたロータ、３５はこのロータ３４と一体となったシャフト、３６はロータ３４と軸方向に空隙ｇを設け、かつ軸方向に移動可能なアマチュアで、図８に示すように３ケ所に設けられたリベット取り付用の穴３６ａを有している。
【０００４】
３７は図示しないギアとかみ合うギア３７ａを設けたハブであり、シャフト３５に対して回転可能に設けられている。３８はスプリング、３８ａ，３８ｂはスプリング３８に設けられた穴であり、リベット３９により、それぞれアマチュア３６及びハブ３７に固定されており、通常はアマチュア３６を反ロータ側に押圧している。４０はヨーク３１に固定されたホルダー、４１はシャフト３５の端面に設けられた止め輪である。
【０００５】
以上のように構成された従来の電磁連結装置の動作は次の通りである。
すなわち、図示しない電源より電圧をリード線３３を介してコイル３２に印加すると、点線で示す磁路に磁束Φが発生し、その吸引力によりアマチュア３６はスプリング３８の弾性力に打ち勝ってロータ３４に吸引される。したがって、ロータ３４と接し、ギア３７ａに伝達され動力は、ハブ３７、スプリング３８、ロータ３４、シャフト３５を介して図示しない負荷に伝わる。コイル３２から電圧を取り去ると、磁束Φは消滅し、アマチュア３６はスプリング３８の弾性力により元の位置に戻り、ロータ３４との空隙ｇが保たれ、動力の伝達はなくなる。
【０００６】
【発明が解決しようとする課題】
従来の電磁連結装置は以上のように構成されているが、複写機などに使用されるときには、特に初期から規定のトルクが伝達できるとともに、安価にかつ大量生産できることが重要である。それにもかかわらず、従来はアマチュア３６とスプリング３８をリベット３９によりかしめ固定する必要があるため、アマチュア３６は変形を起こし、ロータ３４との接触度合いが悪くなり、規定のトルクが出にくくなることがあった。
【０００７】
なお、従来技術では、図１０に示すような分割された長方形状のスプリング４３を使用することも考えられるが、分割されているために組み立てに時間がかかり、却って高価になってしまうとい問題点があった。
【０００８】
この発明は、上記のような問題点を解決するためになされたものであり、アマチュア、ハブ、およびスプリングの相互の連結にかしめ固定を不要とし、アマチュアの摩擦面の平面度を良好に保ち、初期からトルクの安定化を図ることができると共に、組み立てが容易で、かつ安価に製作することができる、電磁連結装置を提供することを目的とするものである。
【０００９】
【課題を解決するための手段】
この発明の電磁連結装置は、コイルを内蔵したヨークと、このヨークを包むように構成されたロータと、このロータに固定されたシャフトと、上記ロータと軸方向に空隙を介して設置されると共に軸方向に移動可能なアマチュアと、このアマチュアをスプリングを介して支承すると共に上記シャフト上に回転可能に設置されたハブとを有するものにおいて、上記アマチュアの内周部にスリットを設け、また、上記ハブには突起状の筒部を設ける一方、上記スプリングの外周部には上記アマチュアのスリットに嵌合されるアームを、また、スプリングの内周部にはハブ圧入用のスリットを設け、さらに、スプリングには上記ハブの突起状の筒部が挿入される穴を設けたものである。
【００１０】
【発明の実施の形態】
実施の形態１．
図１はこの発明の実施の形態１における電磁連結装置を示す一部断面側面図、図２、図３は同電磁連結装置の一部断面図、図４は同電磁連結装置のアマチュア部分を示す正面図、図５は同アマチュア部分を示す側面断面図、図６は同電磁連結装置のスプリング部分を示す正面図である。
【００１１】
図において、１は断面コの字状のヨーク、２はヨーク１に内蔵されたコイル、３はこのコイル２に接続されたリード線、４はヨーク１を包むように構成されたロータ、５はこのロータ３４と一体となったシャフト、１６はロータ３４と軸方向に空隙ｇを設け、かつ軸方向に移動可能なアマチュア、１６ａはアマチュア１６の内周に設けられたスリットで、図４，図５では周方向に沿って３ケ所設けている例を示している。
【００１２】
１７は図示しないギアとかみ合うギア１７ａを設けたハブであり、シャフト５に対して回転可能に設けられている。１７ｂはアマチュア１６と対向する側において周方向に３ケ所設けられた筒部である。また、１８はスプリングで、スプリング１８には外周面に３ケ所アーム１８ａが設けられ、また内部にはハブ１７に設けられた筒部１７ｂに挿入される穴１８ｂが３ケ所形成されてトルクを伝達できるようにしている。さらにスプリング１８の内周面側には周方向に沿って３ケ所にスリット１８ｃが設けられてハブ１７の円筒部１７ｃに圧入できるようにしている。このように、スプリング１８はアマチュア１６及びハブ１７の間に介在されており、通常はアマチュア１６を反ロータ側に押圧している。１０はヨーク１に固定されたホルダー、１１はシャフト５の端面に設けられた止め輪である。
【００１３】
次にこの実施の形態１の電磁連結装置の動作について説明する。
図示しない電源より電圧をリード線３を介してコイル２に印加すると、点線で示す磁路に磁束Φが発生し、その吸引力によりアマチュア１６はスプリング１８の弾性力に打ち勝ってロータ４に吸引される。したがって、ロータ４と接し、ギア１７ａに伝達され動力は、ハブ１７、スプリング１８、ロータ４、シャフト５を介して図示しない負荷に伝わる。コイル２から電圧を取り去ると、磁束Φは消滅し、アマチュア１６はスプリング１８の弾性力により元の位置に戻り、ロータ４との空隙ｇが保たれ、動力の伝達はなくなる。
【００１４】
この実施の形態１によれば、アマチュア１６のスリット１６ａにスプリング１８のアーム１８ａを挿入して嵌合させ、更にスプリング１８をハブ１７の円筒部１７ｃに圧入するようにして固定する。これにより、従来のかしめ固定は全て不要となる。
【００１５】
すなわち、アーム１８ａにより、アマチュア１６を反ロータ側に押圧するようにし、一方、ハブ１７とスプリング１８の固定はスプリング１８の内周に設けられたスリット１８ｃを設けたことによる変形を利用して圧入するようにしている。また、信頼性をさらに向上させるため、ハブ１７に設けた筒部１７ｂにスプリング１８の穴１８ｂを挿入するようにすれば、トルクの伝達は確実になる。なお、トルク伝達に余裕があれば、このハブ１７の筒部１７ｂは省略できるものである。
【００１６】
このように、この実施の形態３の電磁連結装置は、リベットは不要であり、かしめ作業も廃止できるので、組み立て時間が大幅に削減でき、さらにアマチュア１６の摩擦面は変形することもないため、安定した製品ができ、ナラシ作業もなくなり、大幅に安価に製作できるようになる。
なお、アーム１８ａは３ケ所設けた場合を説明したが、他の数であってもよい。
【００１７】
以上の説明においては、クラッチについて説明したが、アマチュアまたはロータのいずれか一方を固定して、制動装置として使用しても同様の効果がある。また、以上はＯＡ機器用として説明したが、一般産業機械用としての電磁連結装置・制動装置にも応用できる。
【００１８】
【発明の効果】
この発明の電磁連結装置によれば、上記アマチュアの内周部にスリットを設け、また、上記ハブには突起状の筒部を設ける一方、上記スプリングの外周部には上記アマチュアのスリットに嵌合されるアームを、またスプリングの内周部にはハブ圧入用のスリットを設け、さらに、スプリングには上記ハブの突起状の筒部が挿入される穴を設けたので、スプリングをアマチュアとハブの双方に対してかしめ固定しなくてもこれらの相互間を確実に一体連結することができる。しかも、かしめ固定が不要となる分、組み立て時間を大幅に削減することができる。さらに、ハブの突起状の筒部をスプリングの穴に挿入することでハブとスプリング間のトルク伝達を一層確実に行うことができ、トルクが安定する。
【図面の簡単な説明】
【図１】この発明の実施の形態１における電磁連結装置を示す一部断面側面図である。
【図２】この実施の形態１における電磁連結装置の一部断面図である。
【図３】この実施の形態１における電磁連結装置の一部断面図である。
【図４】この実施の形態１における電磁連結装置のアマチュア部分を示す正面図である。
【図５】この実施の形態１における電磁連結装置のアマチュア部分を示す側面断面図である。
【図６】この実施の形態１における電磁連結装置のスプリング部分を示す正面図である。
【図７】従来の電磁連結装置を示す一部断面側面図である。
【図８】従来の電磁連結装置のアマチュア部分を示す正面図である。
【図９】従来の電磁連結装置のスプリング部分を示す正面図である。
【図１０】従来の他の電磁連結装置のアマチュア部分を示す正面図である。
【符号の説明】
１  ヨーク、２  コイル、４  ロータ、５  シャフト、１６  アマチュア、
１６ａ  スリット、１７  ハブ、１７ｂ  筒部、１７ｃ  円筒部、
１８  スプリング、１８ａ  アーム、１８ｂ  穴、１８ｃ  スリット。
【図１】
0003587707.tif 000002
【図２】
0003587707.tif 000003
【図３】
0003587707.tif 000004
【図４】
0003587707.tif 000005
【図５】
0003587707.tif 000006
【図６】
0003587707.tif 000007
【図７】
0003587707.tif 000008
【図８】
0003587707.tif 000009
【図９】
0003587707.tif 000010
【図１０】
0003587707.tif 000011